(57)【要約】【課題】排水効率および切替弁の応答性の良いポンプおよびこのポンプを搭載した食器洗浄機等の機器を提供すること【解決手段】切替弁４０は、第二流出口３０ｃを閉塞する蓋部４１を有する第一受部４２と、第一受部４２とは異なった角度にて形成される第二受部４３と、これらを連結するガイド部４５と、を備える。そして、ガイド部４５と第二受部４３との連結位置よりも延びるように水流受部４３ａが形成される。第二受部４３と水流受部４３ａとが流路１１内の水を受けることによって、切替弁４０は第二流出口３０ｃの開口動作を行う。この開口動作の際に、第二受部４３は、流路１１内に一部が入り込む。【選択図】図３
2008038743.tif 000002
【特許請求の範囲】
【請求項１】
一つの流入口と少なくとも二つの流出口とを有するポンプ室を備えたポンプであって、
前記ポンプ室内に正逆回転自在に配置され、回転によって前記流入口から吸水し前記ポンプ室内に水流を発生させるインペラと、該インペラを回転させるモータとを備え、
前記ポンプ室には、
前記インペラの径方向外側に位置した渦巻状の流路と、この流路の一部に隣接し凹窪状に形成された切換室部とが形成され、
前記二つの流出口のうち一方の第一流出口は、前記ポンプ室の水が前記インペラの所定の回転方向の回転によって同方向の水流を発生させて前記流路から排出されるよう前記流路の一部に連通し、
前記二つの流出口のうち他方の第二流出口は、前記ポンプ室の水が前記インペラの前記所定の回転方向と逆方向の回転によって同方向の水流を発生させて前記流路から前記切換室部を経て排出されるよう前記切換室部に連通し、
前記切換室部には、前記第二流出口を開閉する所定軸を中心に回転する切替弁が配置され、
前記切替弁には、前記流路の水流を受けることによって、前記水流が前記所定方向の場合に前記第二流出口を閉塞し前記逆方向の場合に開口するよう操作する受部が設けられ、
前記受部の回転軌跡は、前記水路の外周側に入り込むように形成され、
前記第二流出口を閉塞した状態において、前記流路より外側となることを特徴とするポンプ。
【請求項２】
前記切替弁は、所定軸に対して回転することによって前記第二流出口を開口および閉塞し、
前記第二流出口を閉塞する蓋部と、
該蓋部と一体もしくは別体にて形成され、前記逆方向の水流を受けることによって前記切替弁が前記第二流出口を開口するように回転するのを補助する第一受部と、
前記第一受部とは異なる角度を有する面であり、少なくとも前記所定の回転方向の水流を受けることによって前記切替弁が前記第二流出口を閉塞するように回転するのを補助する第二受部と、
前記第一受部と前記第二受部との間に形成され、前記水流をガイドするガイド部と、
を備えることを特徴とする請求項１に記載のポンプ。
【請求項３】
前記第二受部と前記ガイド部とは連結され、
前記第二受部は前記ガイド部との連結位置より突出した水流受部を設け、
前記水流受部は、
前記切替弁が前記第二流出口を開口する際に、前記ガイド部からガイドされた水流を受けることを特徴とする請求項２に記載のポンプ。
【請求項４】
前記切替弁が前記第二流出口を開口する際に、前記第一受部もしくは前記ガイド部の少なくともどちらか一方が、前記流路内に移動することを特徴とする請求項２および請求項３のいずれかに記載のポンプ。
【請求項５】
前記切替弁の前記ガイド部より前記所定の回転軸側には、
前記第一受部と前記第二受部とを連結するリブが形成されることを特徴とする請求項２乃至請求項４のいずれかに記載のポンプ。
【請求項６】
前記切替弁の少なくとも前記第一受部、前記第二受部および前記ガイド部は、樹脂材料にて一体成形されていることを特徴とする請求項２乃至請求項５のいずれかに記載のポンプ。
【請求項７】
前記流路の外周を形成する内周壁における前記第二受部と対向する位置には、前記第二受部の前記所定軸から最も離れた端部の移動を阻害しない、該端部に対して離れる方向に凹む凹形状を形成することを特徴とする請求項２乃至請求項６のいずれかに記載のポンプ。
【請求項８】
前記ガイド部の少なくとも一部は、前記流路の一部を形成することを特徴とする請求項１乃至請求項７のいずれかに記載のポンプ。
【請求項９】
前記流路における前記切替弁と隣接する内周壁には、前記逆方向の水流において、該水流が前記切替弁に向かう平面である内周平面部が形成されていることを特徴とする請求項１乃至請求項８のいずれかに記載のポンプ。
【請求項１０】
前記第二流出口付近には、前記切替弁と前記ポンプ室の前記切替弁と隣接する内周壁とを一部重ねることによって、前記切替弁が前記第二流出口を閉塞した状態においても、所定の幅の間隙を設け、
前記逆方向の水流において、前記間隙は、前記水流が前記第二流出口に向かう流出口流路を形成することを特徴とする請求項１乃至請求項９のいずれかに記載のポンプ。
【請求項１１】
食器を洗浄する食器洗浄機であって、
請求項１乃至請求項１０のいずれかに記載のポンプと、
前記食器を載置する食器トレイと、
前記食器に水を噴出する噴出装置と、
当該ポンプと前記噴出装置とを連結する洗浄用配管と、
を備え、
前記第一流出口は、前期洗浄用配管と連結する洗浄口であり、
前記第二流出口は、当該食器洗浄機内の水を機外へ排水する排水口であることを特徴とする食器洗浄機。
【発明の詳細な説明】
【技術分野】
【０００１】
本発明は、流水方向によって所定の流出口の開口動作および閉塞動作を行う切替弁を備えるポンプ、およびこのポンプを搭載した食器洗浄機等の流体機器に関する。
【背景技術】
【０００２】
食器洗浄機用ポンプは、１台のポンプに洗浄水の流出口と、洗浄によって汚れた洗浄水の排水口と、モータの正転または逆転に応じて流出口または排水口を開放する切替弁と、を備える（このような従来の切替弁を備えた食器洗浄機用ポンプの例として、例えば特許文献１参照）。
【０００３】
特許文献１のような従来の食器洗浄機用ポンプの構造、特にポンプ室の構造を図１０および図１１を参照して説明する。図１０および図１１は、従来の食器洗浄機用ポンプ１のポンプ室２を上側から見た模式平面図である。そして図１０は、切替弁５によって流出口６を閉じた状態を示し、図１１は、切替弁５によって排水口７を閉じた状態を示す。
【０００４】
図１０および図１１を参照して、食器洗浄機用ポンプ１におけるポンプ室２は、回転することによって渦巻水流を発生させるインペラ３と、洗浄水の流れを決める整流台４と、整流台４に隣接して配置され、所定軸を中心として円弧回転する略台形形状の切替弁５と、ポンプ室２内の洗浄水を流出する流出口６と、ポンプ室２内の洗浄水を排水する排水口７と、を備える。
【０００５】
切替弁５は、所定軸Ｊ２を中心として、洗浄水の水流の力によって回転して流出口６および排水口７のそれぞれの開口動作および閉塞動作の機能を果たす。そしてインペラ３の回転方向によって水流方向が変化するので、切替弁５は、それに伴い回転方向を変える。図１０のようにインペラ３を反時計回りに回転させた場合、切替弁５は、洗浄水の水流の力を受けて時計回りに回転して、排水口７を閉じる。そして図１１のようにインペラ３を時計回りに回転させた場合、切替弁５は、洗浄水の水流の力を受けて反時計回りに回転して、流出口６を閉じる。
【０００６】
【特許文献１】特開２０００−３３３８９６号公報
【発明の開示】
【発明が解決しようとする課題】
【０００７】
しかしながら、従来の食器洗浄機用ポンプ１では、切替弁５が流出口６と排水口７との両方の開口動作および閉塞動作を機能させるために、流出口６と排水口７とが切替弁５が回転して閉じる動作を行うことができる位置に配置しなければならない。従って、流出口６と排水口７との配置設計に大幅制限が加わり、設計の自由度を失ってしまう。
【０００８】
また排水口７に流れるまでの流路７ａが狭く形成されるために排水口７に流れる洗浄水の流量が少なくなり、排水効率が低下してしまう。
【０００９】
さらに流出口６を閉じた状態から切替弁５を時計回り移動させて開放させる動作の際に、水流が切替弁５の回転に対して回転方向と逆側に力が作用してしまうために効率よく働かない。その結果、切替弁５の切替動作の応答性が低下してしまう。そのため洗浄水が流出口6へ流れる洗浄効率が低下してしまう。
【００１０】
本発明は上記問題に鑑みなされたものであり、その目的とするところは、排水効率および切替弁の応答性の良いポンプおよびこのポンプを搭載した食器洗浄機等の機器を提供することである。
【課題を解決するための手段】
【００１１】
本発明のポンプは、切替弁をポンプ室内の切替室部に設け、インペラの回転によって発生する水流の方向によって切替弁の動きを制御する。そして、インペラの外側に設けた渦巻状の流路に対して、切替弁が第二流出口を開口するように回転する際に、切替弁の一部が流路内に入り込む。また切替弁が第二流出口を閉塞した状態では、切替弁は流路内には入り込まず、切替室部内に収まっている。この構造により、第一流出口に水を流す際には、切替弁が流路の邪魔をしないので、効率良く水を第一流出口に流すことができる。そして第二流出口に水を流す際には、切替弁の一部が流路に入り込むので、流路と切替弁とが干渉して、より多くの水が第二流出口に流すことができる。
【００１２】
本発明の請求項１によれば、一つの流入口と少なくとも二つの流出口とを有するポンプ室を備えたポンプであって、前記ポンプ室内に正逆回転自在に配置され、回転によって前記流入口から吸水し前記ポンプ室内に水流を発生させるインペラと、該インペラを回転させるモータとを備え、前記ポンプ室には、前記インペラの径方向外側に位置した渦巻状の流路と、この流路の一部に隣接し凹窪状に形成された切換室部とが形成され、前記二つの流出口のうち一方の第一流出口は、前記ポンプ室の水が前記インペラの所定の回転方向の回転によって同方向の水流を発生させて前記流路から排出されるよう前記流路の一部に連通し、前記二つの流出口のうち他方の第二流出口は、前記ポンプ室の水が前記インペラの前記所定の回転方向と逆方向の回転によって同方向の水流を発生させて前記流路から前記切換室部を経て排出されるよう前記切換室部に連通し、前記切換室部には、前記第二流出口を開閉する所定軸を中心に回転する切替弁が配置され、前記切替弁には、前記流路の水流を受けることによって、前記水流が前記所定方向の場合に前記第二流出口を閉塞し前記逆方向の場合に開口するよう操作する受部が設けられ、前記受部の回転軌跡は、前記水路の外周側に入り込むように形成され、前記第二流出口を閉塞した状態において、前記流路より外側となることを特徴とする。
【００１３】
本発明の請求項１に従えば、第二流出口を閉塞した状態において、切替弁は流路に入り込まず、流路の外側となることにより、第一流出口に水を流す際には、切替弁が流路内の水流と干渉することを防ぐことができる。したがって、水を効率良く第一流出口に流すことができる。そして第二流出口を開口する際に、切替弁の一部が流路内に入り込むことにより、流路内の水流の力を切替弁が開口するように回転する補助を行うことができる。したがって、切替弁の応答性を向上させることができる。
【００１４】
本発明の請求項２によれば、請求項１に係り、前記切替弁は、所定軸に対して回転することによって前記第二流出口を開口および閉塞し、前記第二流出口を閉塞する蓋部と、該蓋部と一体もしくは別体にて形成され、前記逆方向の水流を受けることによって前記切替弁が前記第二流出口を開口するように回転するのを補助する第一受部と、前記第一受部とは異なる角度を有する面であり、少なくとも前記所定の回転方向の水流を受けることによって前記切替弁が前記第二流出口を閉塞するように回転するのを補助する第二受部と、前記第一受部と前記第二受部との間に形成され、前記水流をガイドするガイド部と、を備えることを特徴とする。
【００１５】
本発明の請求項２に従えば、第一受部と第二受部とを設けることによって、水流の方向によって切替弁が第二流出口を開口する動作の補助および第二流出口を閉塞する動作の補助を行うことができる。その上、ガイド部によって水流をガイドするので、流路から切替弁に衝突する水を整流することができる。したがって、切替弁との衝突により、発生する損失を防ぐことができる。
【００１６】
本発明の請求項３によれば、請求項２に係り、前記第二受部と前記ガイド部とは連結され、前記第二受部は前記ガイド部との連結位置より突出した水流受部を設け、前記水流受部は、前記切替弁が前記第二流出口を開口する際に、前記ガイド部からガイドされた水流を受けることを特徴とする。
【００１７】
本発明の請求項３に従えば、ガイド部によってガイドされた水を受ける水流受部を設けることにより、第二受部においても、逆方向の水流を受けることができる。したがって、第二受部も第一受部と同様に切替弁が第二流出口を開口する動作の補助を行うことができる。その結果、切替弁の応答性を向上させることができる。
【００１８】
本発明の請求項４によれば、請求項２および請求項３のいずれかに係り、前記切替弁が前記第二流出口を開口する際に、前記第一受部もしくは前記ガイド部の少なくともどちらか一方が、前記流路内に移動することを特徴とする。
【００１９】
本発明の請求項４に従えば、第一受部およびガイド部が流路内に移動することによって、流路内の水流と第一受部およびガイド部とが干渉する。したがって、切替弁が第二流出口を開口する動作を補助することができる。その結果、切替弁の応答性を向上させることができる。
【００２０】
本発明の請求項５によれば、請求項２乃至請求項４のいずれかに係り、前記切替弁の前記ガイド部より前記所定の回転軸側には、前記第一受部と前記第二受部とを連結するリブが形成されることを特徴とする。
【００２１】
本発明の請求項５に従えば、第一受部と第二受部との間にリブを設けることにより、切替弁の強度を向上させることができる。
【００２２】
本発明の請求項６によれば、請求項２乃至請求項５のいずれかに係り、前記切替弁の少なくとも前記第一受部、前記第二受部および前記ガイド部は、樹脂材料にて一体成形されていることを特徴とする。
【００２３】
本発明の請求項６に従えば、切替弁の第一受部、第二受部、およびガイド部を樹脂材料にて一体成形することにより、部品点数を削減することができる。
【００２４】
本発明の請求項７によれば、請求項２乃至請求項７のいずれかに係り、前記流路の外周を形成する内周壁における前記第二受部と対向する位置には、前記第二受部の前記所定軸から最も離れた端部の移動を阻害しない、該端部に対して離れる方向に凹む凹形状を形成することを特徴とする。
【００２５】
本発明の請求項７に従えば、流路の外周を形成する内周壁の第二受部と対向する位置に凹形状が形成されることによって、流路と連結する切替室部の連結する流路に対する周方向幅を小さくすることができる。したがって、内周壁は、より長く流路を形成することができる。
【００２６】
本発明の請求項８によれば、請求項１乃至請求項７のいずれかに係り、前記ガイド部の少なくとも一部は、前記流路の一部を形成することを特徴とする。
【００２７】
本発明の請求項８に従えば、ガイド部が流路の一部を形成することによって、流路内の切替弁と衝突する水流は、流路と同様に流れることができる。特に所定の回転方向に水が流れる場合、流路内において、切替弁との衝突によって発生する損失の発生を防ぐことができる。したがって、より効率良く第一流出口に水を流すことができる。
【００２８】
本発明の請求項９によれば、請求項１乃至請求項８のいずれかに係り、前記流路における前記切替弁と隣接する内周壁には、前記逆方向の水流において、該水流が前記切替弁に向かう平面である内周平面部が形成されていることを特徴とする。
【００２９】
本発明の請求項９に従えば、内周平面部が形成されることによって、逆方向の水流は、効率良く切替室部および第二流出口に流れることができる。
【００３０】
本発明の請求項１０によれば、請求項１乃至請求項９のいずれかに係り、前記第二流出口付近には、前記切替弁と前記ポンプ室の前記切替弁と隣接する内周壁とを一部重ねることによって、前記切替弁が前記第二流出口を閉塞した状態においても、所定の幅の間隙を設け、前記逆方向の水流において、前記間隙は、前記水流が前記第二流出口に向かう流出口流路を形成することを特徴とする。
【００３１】
本発明の請求項１０に従えば、切替弁と内周壁との間隙に流出口流路を形成することによって、切替弁が第二流出口を閉塞した状態から開口する動作に移る際に、この流出口流路に水が入り込むことによって、切替弁が開口する動作を補助することができる。したがって、切替弁の応答性を向上させることができる。
【００３２】
本発明の請求項１１によれば、食器を洗浄する食器洗浄機であって、請求項１乃至請求項１０のいずれかに記載のポンプと、前記食器を載置する食器トレイと、前記食器に水を噴出する噴出装置と、当該ポンプと前記噴出装置とを連結する洗浄用配管と、を備え、
前記第一流出口は、前期洗浄用配管と連結する洗浄口であり、前記第二流出口は、当該食器洗浄機内の水を機外へ排水する排水口であることを特徴とする。
【００３３】
本発明の請求項１１に従えば、噴出装置に水を効率良く流すことができ、且つ排水の効率の良い食器洗浄機を提供することができる。
【発明の効果】
【００３４】
本発明によれば、排水効率および切替弁の応答性の良いポンプおよびこのポンプを搭載した食器洗浄機等の機器を提供することができる。
【発明を実施するための最良の形態】
【００３５】
＜ポンプの全体構造＞
本発明のポンプの実施例の一形態の構造について図１を参照して説明する。図１は本発明のポンプの実施例の一形態を軸方向に切った模式断面図である。
【００３６】
図１を参照して、ポンプは、ポンプ室１０と、ポンプ室１０に収容される回転部２４およびポンプ室１０に隣接する固定部２２を備えるモータ２０と、から構成される。
【００３７】
モータ２０は、略有底円筒形状に形成された第一ケーシング２１の外周面側に固定される固定部２２と、第一ケーシング２１の内周面側に配置され、固定部２２に対して所定の回転軸Ｊ１の周りを回転するロータマグネット２７を有する回転部２４とを備える。
【００３８】
固定部２２は、円環状のコアバック部と、コアバック部から径方向内側へ複数放射状に延びるティース部とからなる薄板の電磁鋼板を複数積層されて形成されたステータコア２２ａ１と、ステータコア２２ａ１のティース部に導電線を複数積層されるように巻回して形成されたコイル２２ａ２とからなるステータ２２ａと、ステータ２２ａの軸方向下側に配置され、導電線が接続することによって電気的導通を図る回路基板２２ｂと、を備える。そしてステータ２２ａおよび回路基板２２ｂをモールド樹脂２２ｃによって樹脂内にモールドされる。このモールド樹脂２２ｃ内にステータ２２ａおよび回路基板２２ｂがモールドされることによって、モータ部２０の耐水性および電気的絶縁性を向上させることができる。また回路基板２２ｂには、コイル２２ａ２の逆起電力を測定することによって回転部２４の回転位置を検出および制御を行う制御ＩＣが実装されている。
【００３９】
固定部２２の外周側には、外部との電気的接続を可能にするコネクタ２２ｄがモールド樹脂２２ｃによって一体的にモールドされる。このコネクタ２２ｄは、回路基板２２ｂとも電気的に接続されている。
【００４０】
第一ケーシング２１の最も軸方向下側に形成される底部２１ａには、回転軸Ｊ１と同軸であり、軸方向上側に延びる突起２１ａ１が形成される。その突起２１ａ１の上部には、回転軸Ｊ１と同軸に軸方向上側に向かい開口する凹部２１ａ２が形成される。この凹部２１ａ２には、回転軸Ｊ１と同軸となるシャフト２３が固定されている。
【００４１】
回転部２４は、シャフト２３に挿通され径方向に微小間隙を介して対向して配置される略円筒形状のスリーブ２５と、スリーブ２５と一体的に成形され、略円筒形状のロータマグネット２７を固定する基部２６と、を備える。そしてロータマグネット２７の外周面は、ステータ２２ａのティース部の内周面と径方向に小さな間隙を介して対向するように配置される。この間隙には、第１ケーシング２１の円筒部２１ａが配置される。この円筒部２１ａによって、ロータマグネット２７とステータ２２ａとが隔絶され、固定部２２側に水等の液体の侵入を防ぐことができる。
【００４２】
基部２６は、ロータマグネット２７を固定する断面略Ｌ字形状のマグネット固定部２６ａと、マグネット固定部２６ａと連続的に成形され、スリーブ２５の外周面と固定される円筒形状のスリーブ固定部２６ｂとを備える。またロータマグネット２７の軸方向の反対側、すなわち、マグネット固定部２６ａの上面には、複数の羽根２８は周方向に等間隔に形成される。この羽根２８は断面Ｌ字形状であり、羽根２８の上部は、スリーブ固定部２６ｂより軸方向上側に形成され、軸方向上側に略円筒形状に形成された羽根保持部２６ｃによって固定される。ここで、基部２６と羽根２８とは一体的に成形される。本発明では、基部２６と羽根２８とを一体的に成形した状態をインペラ２９という。
【００４３】
第一ケーシング２１の軸方向上側には、基部２６および羽根２８を収容するように第二ケーシング３０が形成される。第一ケーシング２１と第二ケーシング３０とによって囲まれた空間により、ポンプ室１０が形成される。
【００４４】
第二ケーシング３０には、外部からの水をポンプ室１０内に給水する流入口３０ａと、ポンプ室１０内の水を外部へ流出する２つの流出口である第一流出口３０ｂ（図１では不図示）および第二流出口３０ｃと、が設けられる。第二流出口３０ｃ付近には、第二流出口３０ｃの開口動作および閉塞動作を行う切替弁４０が配置される。
【００４５】
＜ポンプ室＞
次にポンプ室１０の構造について図２を参照して説明する。図２は、ポンプ室１０を上側より見た模式平面図である。
【００４６】
図２を参照して、ポンプ室１０は、インペラ２９の径方向外側とポンプ室１０の内壁との間に形成された渦巻状の流路１１と、この流路１１より外側に配置され、凹窪状に形成された切替弁４０が配置される切替室部１２と、が設けられる。
【００４７】
流路１１は、時計回りに流路幅を徐々に大きくした形状にて形成される。そして流路１１はその流路幅が最大となった位置にて、第一流出口３０ｂと連結する。また流路１１の外周は、第二ケーシング３０の内壁部によって形成される。この内壁部は、流路１１における切替室１２を挟んで２つ形成される。そして流路１１の流路幅の狭い位置に略円弧形状の第一内壁部３０ｄが設けられ、流路１１の流路幅の広い位置に第二内壁部３０ｅが設けられる。第二内壁部３０ｅは、略平面形状と略円弧形状とによって構成される。
【００４８】
切替室部１２は、流路１１より径方向外側に凹窪形状にて形成される。そして切替室部１２は第二流出口３０ｃと連結する。
【００４９】
＜切替弁＞
次に切替弁４０の構造について図３を参照して説明する。図３のａ）は、切替弁４０を上側より見た模式平面図であり、ｂ）は、蓋部を正面から見た模式平面図である。
【００５０】
図３のａ）を参照して、切替弁４０は、第二流出口３０ｃを閉じる蓋部４１と、蓋部４１と一体的に成形された略板形状である第一受部４２と、第一受部４２と異なった角度にて配置される第二受部４３と、第一受部４２および第二受部４３と連続し、切替弁４０の回転軸となる突起４４と、第一受部４２および第二受部４３の周方向間に形成されるガイド部４５と、を備える。突起４４は、第一ケーシング２１および第二ケーシング３０とそれぞれ係合する下側突起４４ａおよび上側突起４４ｂから構成される（図３のｂ）参照）。また切替弁４０は、蓋部４１以外の部位を樹脂材料にて一体的に成形することによって設けられる。
【００５１】
ガイド面４５は、第一受部４２および第二受部４３を連結するように配置され、第一受部４２、第二受部４３およびガイド部４５を結び、上側より見ると略三角形状となる。
【００５２】
第一受部４２の径方向外側におけるガイド部４５と連結する位置には、ガイド部４５に向かい凹む段部４２ａが形成される。
【００５３】
第二受部４３には、ガイド部４５との連結部より径方向外側に延びる水流受部４３ａが形成される。この水流受部４３ａは、ガイド部４５の傾斜面に対して垂直に延びるように形成される。これにより、ガイド部４５に沿って流れた水の力を効率良く切替弁４０の回転動作に変換することができる。
【００５４】
ガイド部４５と突起４４との径方向の間には、第一受部４２および第二受部４３を連結するリブ４６が形成される。このリブ４６を設けることによって、ガイド部４５と突起４４との径方向の間を樹脂材料にて充填しなくてもリブ４６によって第一受部４２および第二受部４３の強度を保持することができる。したがって、切替弁４０の軽量化を図ることができる。その結果、小さな水流によっても切替弁４０を回転することができ、切替弁４０の応答性を向上させることができる。
【００５５】
図３のｂ）を参照して、第一受部４２には、円盤状の突部４２ｂが形成される。蓋部４１は、中心に開口穴４１ａを有した略円盤状に形成される。そして蓋部４１の外周縁には、円環突形状の閉塞部４１ｂが形成される。蓋部４１は、その開口穴４１ａが突部４２ｂと係合することによって第一受部４２に固定される。
【００５６】
＜流路と切替弁との関係＞
次に図４を参照して、切替弁４０が第二流出口３０ｃを閉塞した状態における切替室部１２付近における流路１１と切替弁４０との配置関係について説明する。図４は図２の2点鎖線円の拡大図である。図中の二点鎖線矢印は、流路１１の水流の方向を示している。
【００５７】
図４を参照して、切替弁４０が第二流出口３０ｃを閉塞した状態において、切替弁４０の第一受部４２、第二受部４３、およびガイド部４５は、流路１１より径方向外側に配置される（流路１１の外周は、図４の点線部分）。またガイド部４５は、流路１１の外周と隣接した状態となり、流路１１の一部を形成する。また流路１１と切替室部１２と連結する位置には、流路１１の外周を構成する第一内周壁３０ｄが形成されないので、流路１１内の水流は、切替室部１２に流れてしまう。しかしながら、ガイド部４５が流路１１の一部を形成することによって、水流はガイド部４５に衝突することによって流路１１に沿って流れるので、第一流出口３０ｂに効率よく流すことができる。
【００５８】
第二内周壁部３０ｅの略平面形状に形成された内周平面部３０ｅ１には、切替弁４０の第一受部４２の外周部が間隙を介して対向する。内周平面部３０ｅ１の端部は、切替室部１２と連続する位置にて、段形状となる。そしてこの段形状と対応する位置には、切替弁４０の第一受部４２に形成された段部４２ａが配置される。したがって、内周平面部３０ｅ１と段部４２ａとによって第二流出口３０ｃに向かう流出口流路５０が形成される。
【００５９】
＜水流方向と切替弁の動作＞
次に流路１１の水流方向による切替弁４０の動作および水流に関して、図５乃至図８を参照して説明する。図５は、第一流出口３０ｂに流れる水流方向の際の切替弁４０について示した模式平面図であり、図６乃至図８は、第二流出口３０ｃに流れる水流方向の際の切替弁４０について示した模式平面図である。そして図６は、切替弁４０の開口動作を行いはじめの状態を示し、図７は、切替弁４０が開口動作を行う途中の状態を示し、図８は、切替弁４０が完全に開口した状態を示している。
【００６０】
図５を参照して、図中の実線矢印のようにインペラ２９が時計回り（以下、正転方向という）に回転することによって、流路１１には同方向の水流が発生する。第一内周壁３０ｄの内周面に沿った水流は、切替室部１２と流路１１とを連結する位置によって、ガイド部４５と衝突する。これにより、水流はガイド部４５が第二流出口３０ｃを閉塞する方向に付勢する。すなわち、所定の回転軸Ｊ２を中心に時計回りに回転する閉塞動作を行う。そして第一内周壁３０ｄの内周面に沿った水流の一部は、切替室部１２における第二受部４３と第一内周壁３０ｄとの間に入るように流れる。これにより、この一部の水流は、第二受部４３が第二流出口３０ｃを閉塞する方向に付勢する。したがって、切替弁４０は、水流が正転方向に流れる場合において、第二流出口３０ｃを安定的に閉塞することができる。また第一内周壁３０ｄにおける第二受部４３と対向する面は、切替弁４０の開口動作の際の第二受部４３の移動に対して阻害しない、凹形状の逃げ部３０ｄ１が形成される。これにより、第一内周壁３０ｄにおける流路１１の外周をなす内周面をより長く形成することができる。したがって、流路１１内の水流をより第一流出口３０ｂに向かわせることができる。したがって、第一流出口３０ｂにより効率良く水を流すことができる。
【００６１】
図６を参照して、図中の実線矢印のようにインペラ２９が反時計回り（以下、逆転方向という）に回転することによって、流路１１には同方向の水流が発生する。第二内周壁３０ｅの内周面に沿った水流は、第二内周壁３０ｅが切替室部１２に向かう平面にて形成されているので、第二内周壁３０ｅに沿って流れる水は切替室部１２に向かい流れていく。したがって、切替室部１２に形成された第二流出口３０ｃにより多くの水が流れる。その結果、ポンプ室１０内の水を効率良く第二流出口３０ｃに流すことができる。また第二内周壁部３０ｅによって切替室部１２に向かい流れる流路を形成するので、この流路は流出口流路５０に連続する。この流出口流路５０に水が流れることにより、流出口流路５０内の圧力が高まり、第一受部４２が、切替弁４０が開口動作を行う方向に付勢する。ここで開口動作とは、所定軸Ｊ２を中心に切替弁４０が正転方向に回転する動作をいう。
【００６２】
またこの水流の一部は、ガイド面４５に衝突して、ガイド面４５の傾斜面に沿って流れる。そしてガイド面４５に沿って流れる水は、水流受部４３ａと衝突する。したがって、水流受部４３ａは衝突した水によって、切替弁４０が開口動作を行う方向に付勢する。したがって、第一受部４２および水流受部４３ａの２箇所によって水が切替弁４０が開口動作を行うように付勢するので、第二流出口３０ｃを少ない水にて開口することができる。その結果、切替弁４０の応答性を向上させることができる。
【００６３】
図７を参照して、第一受部４２および第二受部４３の水流受部４３ａによって切替弁４０は、開口動作を行う。この開口動作の際に、第一受部４２は、流路１１内に入り込むように回転する。これにより、第一受部４２には、流路１１内の水流が衝突するので、切替弁４０を効率良く回動動作を行うことができる。
【００６４】
図８を参照して、切替弁４０は、第一受部４２が流路１１の水流方向に対して略垂直となる位置まで回動動作を行う。これにより第一受部４２に衝突した水は、切替室部１２に向かい、すなわち、第二流出口３０ｂに向かう方向に転換されて流れていく。したがって、ポンプ室１０内の水を効率良く第二流出口３０ｂに流すことができる。
【００６５】
＜食器洗浄機の構造＞
次に本発明の食器洗浄機の実施例の一形態の構造について図９を参照して説明する。図９は、本発明の食器洗浄機の実施例の一形態を示した軸方向に切った模式断面図である。
【００６６】
図９を参照して、食器洗浄機１００は、食器１０１を配置可能とする食器トレイ１０２と、食器１０１に向けて水を噴出する噴出装置１０３と、下端部に形成された貯水部１０４と、貯水部１０４の底部と略同位置に配置されたポンプ１１０と、噴出装置１０３とポンプ１１０とを連結する洗浄用配管１０５と、これらを収容する筐体１０６と、を備える。
【００６７】
ポンプ１１０に本発明のポンプを用いると、洗浄用配管１０５は、第一流出口３０ｂと固定される。また貯水部１０４は、流入口３０ａと固定される。この流入口３０ａが給水口となる。第二流出口３０ｃは、貯水部１０４の水を食器洗浄機１００の機外に排水する排水口となる。
【００６８】
次に食器洗浄機１００の食器１０１の洗浄機能および排水機能について説明する。
【００６９】
まず水道水等によって食器洗浄機１００の貯水部１０４に水を貯留する。この水が洗浄水となる。
【００７０】
食器１０１の洗浄機能では、モータ２０によってインペラ２９を正転方向に回転させることにより、貯水部１０４から流入口３０ａから洗浄水が吸い込まれ、流路１１を正転方向に流れ、切替弁４０が閉塞動作を行う。これにより第二流出口３０ｃに洗浄水は流れず、第一流出口３０ｂに流れていく。そして洗浄水は、洗浄用配管１０５を通り、噴出装置１０３によって食器１０１に向かい噴出される。
【００７１】
一方、貯水部１０４の洗浄水の排水機能では、モータ２０によってインペラ２９を逆転方向に回転させることによって、洗浄水は流路１１を逆転方向に流れ、切替弁４０が開口動作を行う。これにより、流入口３０ａからポンプ室１０内に洗浄水が入り、第二流出口３０ｃから排水されていく。洗浄水を排水する場合、洗浄水の一部は、第一流出口３０ｂに流れてもよい。
【００７２】
ここで本発明の切替弁４０を用いることによって、食器１０１の洗浄機能では、切替弁４０は、流路１１内に入ることがなく、且つ、ガイド部４５によって流路１１内の洗浄水を第一流出口３０ｂに向けた方向にガイドするので、第一流出口３０ｂに効率良く洗浄水を流すことができる。したがって、噴出装置１０３に効率良く洗浄水を流すことができるので、食器１０１の洗浄を効率良く行うことができる。さらに貯水部１０４の洗浄水の排水機能では、洗浄水の逆転方向に対して切替弁４０が応答性良く開口動作を行うので、第二流出口３０ｂに効率良く洗浄水を流すことができる。
【００７３】
以上、本発明のポンプおよび食器洗浄機の実施例の一形態について説明したが、本発明はこの実施例に限定されることなく、本特許請求項の範囲内において種々の変形が可能である。
【００７４】
例えば、本実施例では、食器洗浄機にポンプを適用したが、本発明のポンプは食器洗浄機への搭載に限定されない。例えば、洗濯機等のポンプを搭載する機器に適用される。
【図面の簡単な説明】
【００７５】
【図１】本発明のポンプの実施例の一形態を示した軸方向に切った模式断面図である
【図２】本発明のポンプ室の実施例の一形態を示した上側より見た模式平面図である
【図３】本発明の切替弁の実施例の一形態を示した軸方向に切った模式断面図である
【図４】図２の点線円の拡大図である
【図５】本発明のポンプ室において、第一流出口に水が流出する際の水流を示す模式平面図である
【図６】本発明のポンプ室において、第二流出口に水が流出する際の水流を示し、切替弁が開口動作を行い始める際の状態を示した模式平面図である
【図７】本発明のポンプ室において、第二流出口に水が流出する際の水流を示し、切替弁が開口する途中の状態を示した模式平面図である
【図８】本発明のポンプ室において、第二流出口に水が流出する際の水流を示し、切替弁が完全に開口した状態を示した模式平面図である
【図９】本発明のポンプを搭載した食器洗浄機の実施例の一形態を示した軸方向に切った模式断面図である
【図１０】従来のポンプを示した軸方向に切った模式断面図である
【図１１】従来のポンプを示した軸方向に切った模式断面図である
【符号の説明】
【００７６】
１０        ポンプ室
１１        流路
１２        切替室部
２０        モータ
２９        インペラ
３０ｂ      第一流出口
３０ｃ      第二流出口
３０ｄ      第一内周壁
３０ｄ１    逃げ部
３０ｅ      第二内周壁
３０ｅ１    内周平面部
４０        切替弁
４１        蓋部
４２        第一受部（受部）
４３        第二受部（受部）
４３ａ      水流受部
４５        ガイド部
４６        リブ
５０        流出口流路
１００      食器洗浄機
１０１      食器
１０２      食器トレイ
１０３      噴出装置
１０５      洗浄用配管
Ｊ１        回転軸
Ｊ２        所定の回転軸
【図１】
2008038743.tif 000003
【図２】
2008038743.tif 000004
【図３】
2008038743.tif 000005
【図４】
2008038743.tif 000006
【図５】
2008038743.tif 000007
【図６】
2008038743.tif 000008
【図７】
2008038743.tif 000009
【図８】
2008038743.tif 000010
【図９】
2008038743.tif 000011
【図１０】
2008038743.tif 000012
【図１１】
2008038743.tif 000013